(57)【特許請求の範囲】
【請求項１】
遊技球が通入し得る球入口を開閉可能な開閉部材と、前記球入口に連通して所要の奥行きを有する入賞空間と、前方へ向け下方に傾斜して前記入賞空間の底面をなす傾斜面の前側において左右方向に並んで設けられ、前記入賞空間に流入した遊技球の通入を許容する特別入賞領域および一般入賞領域と、前記入賞空間を上下に仕切り、前記球入口から上部入賞空間に通入した遊技球を転動させて下部入賞空間へ案内する仕切部とを備えた遊技機の入賞装置であって、
前記傾斜面における左右方向の略中央位置を前記下部入賞空間の奥側から該傾斜面の前端縁まで延出して、その前部が前記特別入賞領域に臨むと共に、該傾斜面と略同一平面上に位置して傾斜面を転動する遊技球が上部を横切って移動可能な基準位置および該前部が傾斜面より上方へ突出して傾斜面を転動する遊技球が側部に当接して上部を横切るのを規制する傾動位置の間で揺動する可動部材と、
前記可動部材の上面に形成されて該可動部材の前後方向の略全長に亘って延在し、遊技球を可動部材に沿って前側に向けて転動するよう案内可能な凹部と、
前記仕切部の一部を構成し、前記球入口から前記上部入賞空間に通入した遊技球を前記傾斜面の奥側に向けて通出させる第１傾斜通路と、
前記仕切部の一部を構成し、前記球入口から前記上部入賞空間に通入した遊技球を前記可動部材の奥側に向けて通出させる第２傾斜通路と、
前記第２傾斜通路から通出される遊技球を、前記可動部材に向けて案内する第３傾斜通路と、
前記仕切部を転動する遊技球を、前記第１傾斜通路を介して傾斜面の奥側に通出させる第１の状態および前記第２傾斜通路を介して前記可動部材の奥側に通出させる第２の状態に振分け可能な振分け部材とから構成した
ことを特徴とする遊技機の入賞装置。
【請求項２】
前記傾斜面の奥側における前記可動部材の側方において該傾斜面の上面側の位置に、前記第１傾斜通路から傾斜面に通出された遊技球の傾斜面上での転動方向をランダムに変化させ得る流路変更部材を設けると共に、前記第１傾斜通路の後端部を前記流路変更部材の上方で開口し、第１傾斜通路の後端部から通出した遊技球が流路変更部材に当たった後に傾斜面を前側に向けてランダムな方向に転動するよう構成される請求項１記載の遊技機の入賞装置。
【発明の詳細な説明】
【技術分野】
【０００１】
この発明は、遊技機の入賞装置に関し、更に詳細には、球入口から入賞空間に入った遊技球が特別入賞領域に通入することで、遊技者にとって有利な特別遊技が成立する遊技機の入賞装置に関するものである。
【背景技術】
【０００２】
例えば、所謂羽根モノと称される第２種パチンコ遊技機は、パチンコ球(遊技球)が通入する入賞口を所定条件で開閉する羽根状や扉状等の開閉部材と、種々の遊技部品が配置され、該入賞口から流入するパチンコ球に多彩な動きをさせる入賞空間と、該入賞空間に流入したパチンコ球が最終的に通出する一般入賞領域および特別入賞領域とを備えた入賞装置を備えている。そして、前記特別入賞領域にパチンコ球が通入した場合にのみ、遊技者に有利な特別遊技状態に移行するよう構成されている。ここで、前記特別遊技状態では、前記入賞空間(入賞口)に１０個のパチンコ球が通入するか、前記開閉部材の１８回の開閉または特別入賞領域へのパチンコ球の通入の何れかが満たされたことを１回のラウンド終了条件とし、各ラウンド中に前記特別入賞領域にパチンコ球が通入するのをラウンド継続条件として設定され、ラウンド毎にラウンド継続条件を満たせば、最大で１５回(１５ラウンド)まで継続して行ない得るようになっている。すなわち、特別遊技状態において、遊技者はラウンド継続条件を満たし、より多くの賞球を獲得し得るよう期待して遊技を楽しんでいる。
【０００３】
このため、この種のパチンコ遊技機では、前記入賞空間に流入したパチンコ球が、前記特別入賞領域に通入するか否かに遊技者は最大の関心を持っている。そこで、前記入賞空間に可動式の遊技部品を配設し、該入賞空間内に流入したパチンコ球を該遊技部品に接触させてパチンコ球の動きに変化を与えることにより、遊技の興趣を増大させるよう構成したものが多数提案されている。例えば、前記入賞空間内を仕切部で上下の遊技空間に仕切ると共に、この上部遊技空間に、所要の駆動手段で駆動されて当接したパチンコ球の流下方向を変化させる傘状回転体と、所要の開口部を設けた筒状回転体とを配設し、該開口部から筒状回転体内に通入したパチンコ球を、下部遊技空間に配設した誘導板に移動させて前記特別入賞領域に向けて案内するよう構成したパチンコ遊技機がある(例えば、特許文献１参照)。なお、前記筒状回転体の開口部に通入しなかったパチンコ球は、前記上部遊技空間の後方に形成した落下口から前記下部遊技空間に移動し、前記一般入賞領域に向けて案内されるようになっている。すなわち、前記上部遊技空間に流入したパチンコ球は、前記傘状回転体に接触して弾かれた際に、タイミング良く前記筒状回転体の開口部に通入した場合に、前記特別入賞領域に通入し得るよう構成されている。
【先行技術文献】
【特許文献】
【０００４】
【特許文献１】特開２００１−３３４０３５号公報
【発明の概要】
【発明が解決しようとする課題】
【０００５】
このように、従来のパチンコ遊技機は、前記入賞空間にパチンコ球が流入すると、上部遊技空間に配設した可動式の遊技部品(傘状回転体や筒状回転体)にパチンコ球が接触してその動きが変化し、遊技に対する興趣が増大される。しかし、前記上部遊技空間から前記下部遊技空間に移動したパチンコ球は、前記入賞空間の底面を画成する傾斜面の傾斜に沿って流下するだけであり、該パチンコ球の動きの変化に乏しく、遊技者はパチンコ球の動きを楽しめない欠点がある。また、前記特別遊技領域にパチンコ球が通入するには、パチンコ球が一定の動作をした場合(筒状回転体の開口部に通入した場合)にほぼ限られるため、該特別遊技領域へのパチンコ球の通入態様が画一的となると共に、パチンコ球が入賞空間に通入してから比較的早い段階で該パチンコ球が特別遊技領域に通入するか否かが推測でき、特別遊技状態へ移行することへの期待感が長続きせず、遊技の興趣に欠ける問題が指摘される。
【０００６】
本発明は、前述した従来の技術に内在している前記課題に鑑み、これを好適に解決するべく提案されたものであって、入賞空間に流入した遊技球が一般または特別入賞領域に通入する態様に多様な変化を与え、遊技者の興趣を増大させ得る遊技機の入賞装置を提供することを目的とする。
【課題を解決するための手段】
【０００７】
前記課題を克服し、所期の目的を好適に達成するため、本願請求項１の発明に係る遊技機の入賞装置は、
遊技球(S)が通入し得る球入口(15,15)を開閉可能な開閉部材(16,16)と、前記球入口(15,15)に連通して所要の奥行きを有する入賞空間(25)と、前方へ向け下方に傾斜して前記入賞空間(25)の底面をなす傾斜面(27)の前側において左右方向に並んで設けられ、前記入賞空間(25)に流入した遊技球(S)の通入を許容する特別入賞領域(22)および一般入賞領域(23,23)と、前記入賞空間(25)を上下に仕切り、前記球入口(15,15)から上部入賞空間(26a)に通入した遊技球(S)を転動させて下部入賞空間(26b)へ案内する仕切部(28)とを備えた遊技機の入賞装置であって、
前記傾斜面(27)における左右方向の略中央位置を前記下部入賞空間(26b)の奥側から該傾斜面(27)の前端縁まで延出して、その前部が前記特別入賞領域(22)に臨むと共に、該傾斜面(27)と略同一平面上に位置して傾斜面(27)を転動する遊技球(S)が上部を横切って移動可能な基準位置および該前部が傾斜面(27)より上方へ突出して傾斜面(27)を転動する遊技球(S)が側部に当接して上部を横切るのを規制する傾動位置の間で揺動する可動部材(50)と、
前記可動部材(50)の上面に形成されて該可動部材(50)の前後方向の略全長に亘って延在し、遊技球(S)を可動部材(50)に沿って前側に向けて転動するよう案内可能な凹部(50b)と、
前記仕切部(28)の一部を構成し、前記球入口(15,15)から前記上部入賞空間(26a)に通入した遊技球(S)を前記傾斜面(27)の奥側に向けて通出させる第１傾斜通路(30,30)と、
前記仕切部(28)の一部を構成し、前記球入口(15,15)から前記上部入賞空間(26a)に通入した遊技球(S)を前記可動部材(50)の奥側に向けて通出させる第２傾斜通路(32,32)と、
前記第２傾斜通路(32,32)から通出される遊技球(S)を、前記可動部材(50)に向けて案内する第３傾斜通路(34,34)と、
前記仕切部(28)を転動する遊技球(S)を、前記第１傾斜通路(30,30)を介して傾斜面(27)の奥側に通出させる第１の状態および前記第２傾斜通路(32,32)を介して前記可動部材(50)の奥側に通出させる第２の状態に振分け可能な振分け部材(40)とから構成した
ことを特徴とする遊技機の入賞装置。
【０００８】
また請求項２の発明では、前記傾斜面(27)の奥側における前記可動部材(50)の側方において該傾斜面(27)の上面側の位置に、前記第１傾斜通路(30,30)から傾斜面(27)に通出された遊技球(S)の傾斜面(27)上での転動方向をランダムに変化させ得る流路変更部材(60,60)を設けると共に、前記第１傾斜通路(30,30)の後端部を前記流路変更部材(60,60)の上方で開口し、第１傾斜通路(30,30)の後端部から通出した遊技球(S)が流路変更部材(60,60)に当たった後に傾斜面(27)を前側に向けてランダムな方向に転動するよう構成されることを要旨とする。
【発明の効果】
【０００９】
本発明によれば、球入口から入賞空間に通入した遊技球が仕切部や傾斜面を転動するに際して、振分け部材あるいは可動部材によりその転動方向が変化されるから、該遊技球が決まった経路を通過することはなく、最終的に遊技球が特別入賞領域または一般入賞領域の何れかに通入するまで遊技球の動きを楽しむことができ、遊技の興趣が増大されると共に、最後まで特別遊技状態へ移行することへの期待感が持続される。
【図面の簡単な説明】
【００１０】
【図１】本発明の実施例に係る入賞装置を配設した遊技盤を示す正面図である。
【図２】実施例に係る入賞装置を示す正面図である。
【図３】実施例に係る入賞装置の一部を破断して示す斜視図である。
【図４】実施例に係る上部入賞空間を概略で示す平面図である。
【図５】実施例に係る下部入賞空間を示す斜視図であって、パチンコ球が流路変更部材に当接すると共に、可動傾斜板が基準位置にある状態を示す。
【図６】実施例に係る下部入賞空間を示す斜視図であって、パチンコ球が流路変更部材に当接すると共に、可動傾斜板が停留位置にある状態を示す。
【図７】実施例に係る可動傾斜板、ストッパ部材および第３駆動機構を示す斜視図であって、(a)は可動傾斜板が停留位置に保持されると共にストッパ部材の突出部が孔部から突出した状態を示し、(b)は可動傾斜板が基準位置に保持された状態を示す。
【図８】実施例に係る可動傾斜板およびストッパ部材の駆動状態を示す側面図であって、(a)は可動傾斜板が基準位置に保持された状態を示し、(b)は可動傾斜板が停留位置に保持された状態を示し、(c)は可動傾斜板が停留位置に保持されると共に、ストッパ部材が可動傾斜板の上方に突出した状態を示す。
【図９】実施例に係る可動傾斜板とストッパ部材の駆動状態を示す側面図であって、(a)は可動傾斜板が基準位置に保持された状態を示し、(b)は可動傾斜板が停留位置に保持された状態を示し、(c)は可動傾斜板が停留位置に保持されると共に、ストッパ部材が可動傾斜板の上方に突出した状態を示す。
【図１０】実施例に係る流路変更部材、樋部材および第４駆動機構を示す斜視図である。
【図１１】実施例に係る流路変更部材および樋部材の駆動状態を示す平面図であって、(a)は樋部材が左端位置に揺動すると共に、流路変更部材が最前方位置に移動した状態を示し、(b)は樋部材が原位置に臨むと共に、流路変更部材が最後方位置に移動した状態を示し、(c)は樋部材が右端位置に揺動すると共に、流路変更部材が最前方位置に移動した状態を示す。
【図１２】実施例に係る下部入賞空間を示す斜視図であって、可動傾斜板が基準位置に保持され、パチンコ球が可動傾斜板の奥側に転動した状態を示す。
【図１３】実施例に係る下部入賞空間を示す斜視図であって、パチンコ球が可動傾斜板の奥側に停留した状態を示す。
【図１４】実施例に係る通常遊技状態における各可動式の遊技部品の動作態様を示すタイミングチャート図である。
【図１５】実施例に係る通常遊技状態における各可動式の遊技部品の動作態様を示すタイミングチャート図であって、(a)は第２始動入賞具にパチンコ球が通入した際の動作態様を示し、(b)は第１始動入賞具にパチンコ球が通入した際の動作態様を示す。
【図１６】実施例に係る特別遊技状態における継続ラウンド中の各可動式の遊技部品の動作態様を示すタイミングチャート図である。
【図１７】実施例に係る特別遊技状態における通常ラウンド中の各可動式の遊技部品の動作態様を示すタイミングチャート図である。
【発明を実施するための形態】
【００１１】
次に、本発明に係る遊技機の入賞装置につき、好適な実施例を挙げて、添付図面を参照しながら以下詳細に説明する。
【実施例】
【００１２】
(パチンコ機の遊技盤について)
先ず、図１に略示されるパチンコ機(遊技機)の遊技盤Ｊについて要約説明すると、該遊技盤Ｊでは、その前面に取着された略円形状に湾曲形成したレール１０により囲まれた遊技領域Ｉにおいて、その略中央部に実施例に係る入賞装置Ｍが配置される。また入賞装置Ｍより下側の遊技領域Ｉにおける左右方向の略中央位置には、第１始動入賞具Ｎ１が配設されると共に、該第１始動入賞具Ｎ１の左右両側に離間して第２始動入賞具Ｎ２が夫々配設されている。各始動入賞具Ｎ１,Ｎ２は、入賞装置Ｍに対する所定の始動条件を成立させるものであって、通常遊技状態においては、第１始動入賞具Ｎ１は、その内部に配設されたスイッチ(図示せず)でパチンコ球(遊技球)Ｓの入賞を検出することにより、入賞装置Ｍの後述する開閉部材１６,１６を２回開閉動させ、また第２始動入賞具Ｎ２は、その内部に配設された図示しないスイッチがパチンコ球Ｓの入賞を検出することにより、開閉部材１６,１６を１回開閉動させるよう設定されている。なお、遊技領域Ｉの適宜位置には、風車とも称されてパチンコ球Ｓの流下方向を変更する案内車１１や、遊技状態に応じて照射パターンが変更制御される電飾装置１２等が配設される。
【００１３】
(入賞装置の本体について)
前記入賞装置Ｍは、図１または図３に示すように、本体１３の外周部に設けたフランジ状の基枠体１４を介して遊技盤Ｊに装着セットするようになっている。この本体１３は、パチンコ球Ｓの通入出経路を形成すると共に各種部材を装着するために、その全体が複合組立式の筺型化されたものであって、適宜デザイン形状に形成される。前記本体１３の上部左右位置には、パチンコ球Ｓ用の入賞口(球入口)１５,１５が形成されると共に、該入賞口１５,１５を開閉してパチンコ球Ｓを２方向から本体１３内に入賞可能にする左右一組の開閉部材１６,１６が配設されている。そして、前記本体１３の内部における前記開閉部材１６,１６の下方位置には、前方に開口すると共に所要の奥行きを有する入賞空間２５が画成され、前記入賞口１５,１５に通入したパチンコ球Ｓは該入賞空間２５に流入するよう構成してある。更に、前記本体１３の前側下方位置には、前記入賞空間２５に流入したパチンコ球Ｓを、前記遊技盤Ｊの裏側に通出させる特別入賞領域２２および一般入賞領域２３,２３が夫々設けられている。そして、前記特別入賞領域２２にパチンコ球Ｓが通入した場合には、遊技者に有利な特別遊技状態に移行するよう構成される。
【００１４】
前記特別遊技状態では、前記入賞空間２５(入賞口１５,１５)に１０個のパチンコ球Ｓが通入するか、前記開閉部材１６,１６の１８回の開閉または特別入賞領域２２へのパチンコ球Ｓの通入の何れかが満たされたことを１回のラウンド終了条件とし、各ラウンド中に前記特別入賞領域２２にパチンコ球Ｓが通入するのをラウンド継続条件として設定され、ラウンド毎にラウンド継続条件を満たせば、最大で１５回(ラウンド)まで継続して行ない得るよう構成される。また、実施例では、前記特別入賞領域２２にパチンコ球Ｓが最初に通入した際に、所要の制御条件に従って、略確実に継続されるラウンド数を選択決定するよう構成されており、この選択されたラウンドを、前記本体１３の上部位置に形成した表示部２１に表示して遊技者に報知するよう構成されている(図１または図２参照)。なお、本実施例では、前記選択されるラウンドとして、１ラウンド、７ラウンド、１５ラウンドの３種類を設定してある。すなわち、７ラウンドが選択された場合には、１〜６ラウンドまでが前記ラウンド継続条件を満たし易い制御がなされるラウンド(継続ラウンド)に設定されると共に、最後の継続ラウンドの次のラウンド以降(７ラウンド以降)は該制御がなされないラウンド(通常ラウンド)に設定され、略確実に７ラウンドまでは継続されるよう構成される。ここで、継続ラウンドとは、｛(選択されたラウンド)−(１ラウンド)｝を云い、通常ラウンドとは、最後の継続ラウンドの次のラウンド以降を云う。従って、１ラウンドが選択された場合には、１ラウンド目から前記通常ラウンドが開始され、１５ラウンドが選択された場合には、１〜１４ラウンドまでが前記継続ラウンドとして設定されて、この場合は、１５ラウンド目のみが通常ラウンドとなる。
【００１５】
(開閉部材について)
前記両開閉部材１６,１６は、左右対称な構造、形状に成形された内外方向への傾動形態とされて、前記本体１３の裏側に配設された第１ソレノイド１７,１７を駆動源とする第１駆動機構１８により開閉動作するよう構成される。すなわち、開閉部材１６,１６は、図２において２点鎖線で示す起立対向位置が通常の閉鎖状態とされ、その上端が外向きに傾倒した図中の実線位置が開放状態とされて、第１駆動機構１８により両開閉部材１６,１６を閉鎖状態と開放状態とに同時に傾動変化して前記入賞口１５,１５を開閉するようになっている。従って、各開閉部材１６の夫々が開放状態にある場合に、前記遊技領域Ｉを流下するパチンコ球Ｓが、前記入賞口１５,１５を介して本体１３の内部(入賞空間２５)へ流入可能となる。
【００１６】
図２に示すように、前記本体１３における前記両開閉部材１６,１６の間には、略中央位置が上方に突出する球受け台１９が形成されると共に、該球受け台１９における左右両端部には、前記入賞空間２５に連通する案内出口２０,２０が開設されている。すなわち、前記開閉部材１６,１６が開放状態に傾動した際に、前記入賞口１５,１５に通入したパチンコ球Ｓは、直接または球受け台１９を転動した後に、前記案内出口２０,２０の何れか一方から前記入賞空間２５に流入する。なお、各案内出口２０には、パチンコ球Ｓの通過を検出する球検出センサ(図示せず)が配設されており、入賞空間２５へのパチンコ球Ｓの通入を検出すると共に、所定数(例えば１０球)の賞球が払い出されるようになっている。
【００１７】
(入賞空間について)
前記入賞空間２５は、図２または図３に示すように、前方に開口する略矩形箱状に形成されて前記本体１３の大部分を占有するよう構成されると共に、該空間２５の上下方向の略中央位置に形成された仕切板(仕切部)２８により、上部入賞空間２６ａと下部入賞空間２６ｂとに仕切られている。なお、前記下部入賞空間２６ｂ(入賞空間２５)の底面をなす傾斜面２７は、前方へ向けて下方に傾斜すると共に、該傾斜面２７の前端縁と本体１３の前板１３ａ,１３ａとの間は所要の間隔離間するよう設定されて、該傾斜面２７の前側に、前記特別入賞領域２２および一般入賞領域２３,２３の夫々が上方に向けて開口するよう構成されている。すなわち、前記下部入賞空間２６ｂ内に流入したパチンコ球Ｓは、前記傾斜面２７に沿って前記特別入賞領域２２および一般入賞領域２３,２３に向けて転動するようになっている。
【００１８】
ここで、前記傾斜面２７における前端縁の全長に亘って１つの一般入賞領域２３が開口するよう形成され、該一般入賞領域２３の内部に、該傾斜面２７における前端縁の略中央位置を通過するように左右方向に往復移動可能に構成された樋部材７０(後述)に、前記特別入賞領域２２が設けられている。すなわち、樋部材７０を挟む両側に夫々一般入賞領域２３,２３が開口している。また、前記傾斜面２７における左右方向の略中央位置には、前記下部入賞空間２６ｂ(入賞空間２５)の一部をなす後述の可動傾斜板(可動部材)５０が上下方向に揺動可能に配設されて、前記樋部材７０(特別入賞領域２２)が略中央位置に到来した際に、該可動傾斜板５０が特別入賞領域２２に対して前後に整列するよう設定されている(図２参照)。なお、前記傾斜面２７の前端縁は、その略中央位置が前側に向かって膨出している(図５または図６参照)。
【００１９】
図３または図４に示すように、前記仕切板２８は、前記入賞空間２５の略前側半分を上下に遮蔽する寸法に設定され、前記案内出口２０,２０から入賞空間２５に流入するパチンコ球Ｓは、先ず上部入賞空間２６ａ内に通入して仕切部２８上に落下し、該仕切板２８を転動して下部入賞空間２６ｂに案内されるようになっている。また、前記仕切板２８は、前記案内出口２０,２０の下方に臨む位置に形成されて、後方に向けて下方に傾斜する左右の第１傾斜通路３０,３０と、該第１傾斜通路３０,３０の後端部側に対応的に形成されて後方に向けて下方傾斜する左右の第２傾斜通路３２,３２と、左右の第１傾斜通路３０,３０の間を接続する連絡部２９とから構成される。なお、前記第１傾斜通路３０,３０は、前記入賞空間２５の奥行きの略半分の長さ寸法に設定されている。また、前記連絡部２９は、左右方向の略中央位置で上方に突出すると共に、前側に向けて下方傾斜するよう形成され、該連絡部２９に到来したパチンコ球Ｓを、前記第１傾斜通路３０,３０に向けて案内するようになっている。
【００２０】
ここで、前記各第２傾斜通路３２は、図４(a),(b)に示すように、対応の第１傾斜通路３０に対して前記入賞空間２５の左右を画成する隔壁１３ｄ,１３ｄに近接する方向に変位した位置に夫々形成され、各第１傾斜通路３０の後端部は前記傾斜面２７の上方で開口して、後述する流路変更部材６０,６０の上方に臨むよう構成される。すなわち、左側に形成された第１傾斜通路３０に対しては、該第１傾斜通路３０の延在方向から左方向に変位した位置に左側の第２傾斜通路３２が位置し、右側に形成された第１傾斜通路３０に対しては、該第１傾斜通路３０の延在方向から右方向に変位した位置に右側の第２傾斜通路３２が位置している。
【００２１】
図４(a),(b)に示すように、前記第２傾斜通路３２,３２の傾斜下端部側には、側方から左右方向の略中央位置に向けて下方傾斜する第３傾斜通路３４,３４が夫々形成されており、該第２傾斜通路３２,３２を転動するパチンコ球Ｓは、該第３傾斜通路３４,３４に向けて案内される。また、前記第３傾斜通路３４,３４の傾斜下端部は所要距離だけ離間しており、該第３傾斜通路３４,３４を転動したパチンコ球Ｓは、両傾斜下端部側から前記傾斜面２７から所要高さだけ上方に突出する段状の誘導部３６上に落下するよう構成されている(図５または図６参照)。前記誘導部３６の前端部における前記第３傾斜通路３４,３４の離間部位と前後に整列する部位には、パチンコ球Ｓが落下し得る切欠部３６ａが後方に向けて凹むように切り欠かれており、該切欠部３６ａに前記可動傾斜板５０が臨んでいる。すなわち、前記第３傾斜通路３４,３４から誘導部３６上に落下したパチンコ球Ｓは、前記切欠部３６ａから可動傾斜板５０の奥側に向けて案内される。ここで、前記切欠部３６ａを画成する壁部は、前記可動傾斜板５０の奥側に到来したパチンコ球Ｓの後方および左右両側方への移動を規制する規制部として機能している。なお、図４〜図６に示すように、前記第３傾斜通路３４,３４の前面には、前記誘導部３６の切欠部３６ａを挟む位置に規制片３４ａ,３４ａが前側に向けて所定長さで延出するよう夫々形成されており、前記第１傾斜通路３０,３０の後端部から落下したパチンコ球Ｓが、切欠部３６ａに到達しないよう構成してある。
【００２２】
(可動式の遊技部品について)
前記入賞空間２５内には、複数の可動式の遊技部品４０,５０,６０,７０が配設されて、前記入賞空間２５内に流入したパチンコ球Ｓが各遊技部品４０,５０,６０,７０に接触した際に、その転動方向を変化して遊技演出を行なうようになっている。なお、本実施例においては、前記可動式の遊技部品は、前記入賞空間２５における略中央位置に配設される振分け部材４０と、下部入賞空間２５ｂ(入賞空間２５)の底面の一部をなす可動傾斜板５０と、前記傾斜面２７に近接配置される流路変更部材６０,６０と、前記特別入賞領域２２を画成する樋部材７０である。
【００２３】
(振分け部材について)
前記振分け部材４０は、図２または図３に示すように、遊技者に馴染みのあるキャラクタを模した本体部４１と、前記本体部４１の背面側で支持されて前後方向に揺動可能な一対の振分け部４２,４２とから構成されている。前記本体部４１は、図３に示すように、前記入賞空間２５の後方を画成する後壁面１３ｂの上下および左右方向の略中央位置に、前方に向かって突設された中空の筒状固定部４０ａの前端に固定され、その前面が前記仕切板２８における連絡部２９の後端部に近接するようになっている。すなわち、前記本体部４１は、前記傾斜面２７から上方に離間すると共に、パチンコ球Ｓが連絡部２９の後端部から前記下部入賞空間２６ｂに落下するのを確実に防止している。
【００２４】
また、前記振分け部４２,４２の夫々は、前記本体１３の裏側に配設した第２ソレノイドを駆動源とする第２駆動機構(何れも図示せず)により前記第１傾斜通路３０,３０の後端部に接離可能に構成されている。すなわち、前記振分け部４２,４２が前記第１傾斜通路３０,３０の後端部から離間して、前記第１傾斜通路３０,３０(仕切板２８)を転動するパチンコ球Ｓが後端部から前記傾斜面２７への落下を許容する第１の状態(図４(a)参照)と、該振分け部４２,４２が第１傾斜通路３０,３０の後端部に当接して、第１傾斜通路３０,３０を転動するパチンコ球Ｓを対応の前記第２傾斜通路３２,３２に案内する第２の状態(図４(b)参照)とに変位して、パチンコ球Ｓを振分け得るよう構成される。
【００２５】
(可動傾斜板について)
前記可動傾斜板５０は、前述したように、前記入賞空間２５の奥側(切欠部３６ａ側)から前記傾斜面２７の前端縁まで延出して該下部入賞空間２６ｂ(入賞空間２５)の底面(傾斜面)の一部をなす部材であって、前記本体１３に形成した枢軸４９に後端部近傍が枢支されている(図７または図８参照)。そして、前記可動傾斜板５０は、前記本体１３の裏側に配設した第１モータ(駆動手段)５４を駆動源とする第３駆動機構５５により、図７〜図９に示すように、その上面が前記傾斜面２７と略同一平面上に位置する基準位置(図８(a)および図９(a)参照)と、その前部が該傾斜面２７より上方へ突出し、略水平状態に保持される停留位置(傾動位置)との間を揺動し得るようになっている(図８(b),(c)および図９(b),(c)参照)。すなわち、前記可動傾斜板５０が前記基準位置にある場合には(図５参照)、前記傾斜面２７を転動するパチンコ球Ｓは該可動傾斜板５０の上部を横切って移動し得ると共に、可動傾斜板５０が停留位置にある場合には(図６参照)、該傾斜面２７を転動するパチンコ球Ｓは当接可動傾斜板５０の側部に当接して移動が規制されるよう構成してある。また、前記可動傾斜板５０が前記停留位置にある場合に、パチンコ球Ｓが前記誘導部３６の切欠部３６ａに到来すると、該可動傾斜板５０の奥側に停留保持されるようになっている(図１３参照)。
【００２６】
なお、前記可動傾斜板５０の上面側には、該可動傾斜板５０の前後方向の略全長に亘って凹部(案内部)５０ｂが形成されており、前記停留位置にある可動傾斜板５０の奥側に停留したパチンコ球Ｓは、可動傾斜板５０が基準位置に揺動した際に該案内部５０ｂに沿って前記特別入賞領域２２または一般入賞領域２３,２３に向けて案内されるようになっている(図１２参照)。また、前記可動傾斜板５０の後端部の近傍には、特別遊技状態において該可動傾斜板５０の奥側に到来したパチンコ球Ｓを位置規制するストッパ部材(第２の規制部)５２の出没を許容する孔部５０ａが開設されている。
【００２７】
図８または図９に示すように、前記ストッパ部材５２は、その一端部が前記可動傾斜板５０を枢支する前記枢軸４９に揺動可能に枢支された支持部５３ａと、該支持部５３ａの他端側から上方に突出する突出部５３ｂとから略Ｌ字形に形成され、前記第３駆動機構５５により上下方向に揺動するよう構成される。そして、前記ストッパ部材５２を上方に向けて揺動した際に、前記突出部５３ｂが前記可動傾斜板５０の孔部５０ａから前記入賞空間２５の内部に突出して、可動傾斜板５０の奥側に停留したパチンコ球Ｓの前方移動を規制するようになっている(図８(c)または図９(c)参照)。
【００２８】
前記第３駆動機構５５は、図７〜図９に示すように、前記第１モータ５４に連繋接続されて前後方向に往復移動するスライド板５６と、該スライド板５６に回動可能に連繋接続され、前記可動傾斜板５０およびストッパ部材５２を動作させる回転体５７とから基本的に構成される。前記スライド板５６は、前後方向に長尺な板状部材であって、該スライド板５６における後端部側の一方の側面に、前記第１モータ５４により回転される歯車５４ａに噛合する第１ラック５６ａが部分的に形成されており、該第１モータ５４により歯車５４ａを正逆回転させることにより、当該スライド板５６が所定範囲で前後方向にスライド移動するようになっている。また、前記スライド板５６における上面の前側部位には、前記回転体５７に形成される歯車部５７ａに噛合する第２ラック５６ｂが部分的に形成されると共に、該スライド板５６の上面の後側部位には、前記本体１３に取り付けた位置検出手段５９により検出可能な検出片５６ｃが上方に向かって突設される。なお、前記スライド板５６を最も前方位置(初期位置)までスライド移動した際に、前記検出片５６ｃが前記位置検出手段５９で検出されるよう設定してある。
【００２９】
図７〜９に示すように、前記回転体５７は、前記第２ラック５６ｂと噛合する歯車部５７ａと、該歯車部５７ａの左側面に一体的に形成される第１のカム部５８ａおよび第２のカム部５８ｂとから構成され、該第１のカム部５８ａの外周縁部に、前記可動傾斜板５０の下面が当接すると共に、該第２のカム部５８ｂの外周縁部に、前記ストッパ部材５２における支持部５３ａの下面が当接するようになっている。ここで、図８(a)または図９(a)に示すように、前記スライド板５６が前記初期位置にある場合に、前記可動傾斜板５０が前記基準位置に位置するよう構成されている。そして、この状態で前記第１モータ５４を駆動させ、前記スライド板５６を、そのスライド幅の所要長さ(実施例では略半分)だけ後方の中間位置までスライド移動することで(図８(b),図９(b)参照)、前記回転体５７が回動されて前記第１のカム部５８ａが該可動傾斜板５０を徐々に上方に変位させ、該可動傾斜板５０が略水平状態となる前記停留位置まで揺動するようになっている。なお、前記スライド板５６を中間位置から最も後方位置(終位置)までスライド移動した際に、前記可動傾斜板５０が揺動することなく前記停留位置に保持されるよう前記第１のカム部５８ａの形状が設定してある(図８(c),図９(c)参照)。
【００３０】
前記スライド板５６の初期位置から中間位置へのスライドに際し、前記回転体５７の回動に伴い前記第２のカム部５８ｂが回動されて前記ストッパ部材５２も次第に上方に揺動するが、スライド板５６が中間位置にある場合においては、該ストッパ部材５２の突出部５３ｂが前記可動傾斜板５０の孔部５０ａから下部入賞空間２６ｂ内に突出しないよう構成されている。そして、前記スライド板５６を前記終位置までスライド移動した際に、前記ストッパ部材５２が更に上方に揺動されて、図８(c)または図９(c)に示すように、前記可動傾斜板５０の孔部５０ａから該ストッパ部材５２の突出部５３ｂが下部入賞空間２６ｂ内に突出するよう前記第２のカム部５８ｂが設定されている。なお、前記スライド板５６は、前記通常遊技状態においては前記初期位置と中間位置との間で往復移動し、前記特別遊技状態に移行した際に、所定の設定条件に従い前記初期位置と終位置との間で往復移動して前記ストッパ部材５２が下部入賞空間２６ｂ内に突出するよう設定してある。
【００３１】
(流路変更部材および樋部材について)
前記流路変更部材６０,６０は、図１０または図１１に示すように、左右方向の略中央位置が上方に突出する断面山型に形成された板状部材であって、前記第３傾斜通路３４,３４の下方に開設した通孔１３ｃ,１３ｃの後方から、前記傾斜面２７の上方を前側へ所定長さ延出するよう挿通される。また、前記流路変更部材６０,６０は、前記傾斜面２７の傾斜角度に略一致するよう前方に向かって下方傾斜するよう配置されて、前記本体１３の裏側に配設した第２モータ６３を駆動源とする第４駆動機構６４により前後方向に往復移動するようになっている(図１１参照)。なお、本体１３に前後に平行移動可能に配設されて、略矩形状に形成したカム板６１の左右の両端部近傍に配設した台部６１ａ,６１ａの上端部に、前記流路変更部材６０,６０が取り付けられている。
【００３２】
前記樋部材７０は、図１０に示すように、上下方向に開口する矩形枠状に形成されて、この開口が前記特別入賞領域２２として機能するようになっている。そして、前記樋部材７０は、前記特別入賞領域２２が前記傾斜面２７の前端縁より前側で開口する位置で、前記本体１３に設けた軸部７０ａを介して左右方向に揺動可能に軸支されると共に、樋部材７０の下方位置には、該特別入賞領域２２に通入したパチンコ球Ｓを検出する特別遊技球検出センサ(図示せず)を配設してある。また、前記樋部材７０の後部側には、下方に開口する溝７１ａ(図１１参照)が形成された作動杆７１が形成され、該溝７１ａに前記第４駆動機構６４を構成する円盤カム６７の突起部６７(後述)が挿通されている。すなわち、図１１に示すように、前記円盤カム６７の回転に伴い前記樋部材７０が前記傾斜面２７の略中央位置に位置して前記特別入賞領域２２が前記可動傾斜板５０の前部に臨む原位置(図１１(b)参照)と、該特別入賞領域２２が原位置から左方向または右方向に変位した左右の端部位置(図１１(a)または図１１(c)参照)とに揺動し得るよう構成される。
【００３３】
前記第４駆動機構６４は、前記第２モータ６３により回転される歯車６３ａと噛合する第１歯車６５と、該第１歯車６５と噛合する第２歯車６６とから構成される。そして、前記第２歯車６６の上部には、前記カム板６１の略中央位置に開設されて左右方向に長尺な開口部６１ｂに摺接する円盤カム６７が偏心するよう一体的に形成されており、該第２歯車６６の回転に伴い前記カム板６１および前記流路変更部材６０,６０が前後方向にスライド移動するようになっている。また、前記円盤カム６７の上面側には、前記第２歯車６６の中心軸線上に整列しない位置(すなわち、第２歯車６６に対する偏心位置)に前記突起部６７を突設してある。なお、本実施例では、図１１(a)〜(c)に示すように、前記樋部材７０が原位置に臨むときには、前記流路変更部材６０,６０が最も後方に退避し、該樋部材７０が左右の端部位置に揺動した際には、該流路変更部材６０,６０が最も前方に突出するよう構成されている。
【００３４】
(可動式の遊技部品の制御条件について)
次に、通常遊技状態および特別遊技状態における前記各可動式の遊技部品４０,５０,６０,７０の動作態様につき説明する。なお、前記流路変更部材６０,６０については、前述の如く前記樋部材７０と同期的に往復移動するから、該樋部材７０についてのみ説明し、該流路変更部材６０,６０の動作態様についての説明は省略する。
【００３５】
先ず通常遊技状態における各遊技部品４０,５０,７０の動作態様につき、図１４〜図１７を参照しながら以下説明する。図１４に示すように、常には前記開閉部材１６,１６の夫々は、前記閉鎖状態に位置すると共に、前記振分け部材４０の振分け部４２,４２の夫々も前記第１の状態に保持されて、前記第１傾斜通路３０,３０の後端部を開口するよう設定されている。また、前記可動傾斜板５０は、所定のパターンで前記基準位置と停留位置との間を揺動するよう構成されている。ここで、前記可動傾斜板５０は前記基準位置で一時停止するよう設定してある。そして、前記樋部材７０は、所定のパターンで前記左右の端部位置の間を揺動するようになっており、前記原位置において一時停止するよう構成されている。
【００３６】
また、前記第１または第２始動入賞具Ｎ１,Ｎ２にパチンコ球Ｓが通入すると、図１５(a),(b)に示すように、前記開閉部材１６,１６の夫々は、パチンコ球Ｓが通入した始動入賞具Ｎ１,Ｎ２に応じて前記閉鎖状態から開放状態に１回または２回変位する。そして、前記振分け部４２,４２の夫々も、パチンコ球Ｓが通入した始動入賞具Ｎ１,Ｎ２に応じて前記第１の状態から第２の状態に１回または２回変位し、所定時間だけ前記第１傾斜通路３０,３０の後端部に振分け部４２,４２が当接するよう設定される。また、前記可動傾斜板５０は、前述のパチンコ球Ｓが始動入賞具Ｎ１,Ｎ２に通入していない状態と同一のパターンで前記基準位置と停留位置との間を揺動するよう構成されている。なお、前記樋部材７０についても、前述と同一のパターンで前記左右の端部位置の間を揺動するよう設定してある。また、前記通常遊技状態においては、前記ストッパ部材５２の突出部５２ｂは、前記可動傾斜板５０の孔部５０ａから下部入賞空間２６ｂ内に突出しないよう設定される。
【００３７】
次に、前記継続ラウンドにおける各遊技部品４０,５０,７０の動作態様につき説明する。前記特別入賞領域２２に通入したパチンコ球Ｓを前記特別遊技球検出センサが検出すると、図１６に示すように、所定時間経過後に前記開閉部材１６,１６が、前記ラウンド終了条件を満たすまで開閉動作を繰返すようになっている。また、前記可動傾斜板５０は、前記開閉部材１６,１６が開閉動作を開始すると略同時に前記基準位置から前記停留位置に揺動保持され、ラウンド終了条件を満たすと基準位置に復帰するよう設定される。ここで、前記可動傾斜板５０が停留位置にある場合には、前記ストッパ部材５２の突出部５２ｂが該可動傾斜板５０の孔部５０ａから下部入賞空間２６ｂ内に突出するようになっている。また、前記樋部材７０(特別入賞領域２２)は、前記原位置に保持されると共に、前記振分け部４２は、前記上部入賞空間２６ａ内に８個のパチンコ球Ｓが通入するまでは前記第２の状態に揺動され、その後は第１の状態に保持されるよう設定されている。
【００３８】
前記通常ラウンドにおける遊技部品４０,５０,７０の動作態様について説明する。前記特別入賞領域２２にパチンコ球Ｓが最初に通入した際に、例えば、７ラウンドが選択された場合において、６ラウンド(最後の継続ラウンド)以降に前記特別入賞領域２２にパチンコ球Ｓが通入すると、図１７に示すように、所定時間経過後に前記開閉部材１６,１６は、前記ラウンド終了条件を満たすまで開閉動作を繰返すようになっている。また、前記振分け部４２は、前記上部入賞空間２６ａに６個のパチンコ球Ｓが通入するまでは前記第１の状態に保持され、その後前記ラウンド終了条件が満たされるまで、所定の間隔で前記第１の状態および第２の状態の間を揺動変位する。更に、前記可動傾斜板５０は、前記上部入賞空間２６ａに６個のパチンコ球Ｓが通入するまでは停留位置に保持され、その後所定の間隔で基準位置と停留位置との間を揺動するよう設定されている。そして、前記樋部材７０(特別入賞領域２２)については、前記上部入賞空間２６ａに５個のパチンコ球Ｓが通入するまでは前記原位置に保持され、その後は所定のパターンおよび間隔で左右方向に揺動されて左右の端部位置の間を揺動変位するよう構成される。なお、前記通常ラウンドにおいては、前記ストッパ部材５２の突出部５２ｂは、前記可動傾斜板５０の孔部５０ａから下部入賞空間２６ｂ内に突出することはない。
【００３９】
〔実施例の作用〕
次に、本実施例に係る遊技機の入賞装置の作用につき説明する。前記遊技盤Ｊの盤面に打ち出され、前記遊技領域Ｉを流下するパチンコ球Ｓが、前記第１始動入賞具Ｎ１または第２始動入賞具Ｎ２に通入すると、前記開閉部材１６,１６が１回または２回開閉する。このとき、前記入賞口１５,１５から前記入賞装置Ｍの内部に通入したパチンコ球Ｓは、前記案内出口２０,２０を介して上部入賞空間２６ａに通入する。また、前記上部入賞空間２６ａに通入したパチンコ球Ｓは、直接または仕切板２８の連絡部２９を転動した後に、前記仕切板２８の左右に位置する第１傾斜通路３０,３０の何れか一方を前記上部入賞空間２６ａの奥側に向かって転動される。
【００４０】
ここで、前記振分け部材４０の振分け部４２,４２は、所定時間だけ前記第１傾斜通路３０,３０の後端部を開口する第１の状態から、該第１傾斜通路３０,３０の後端部に当接する第２の状態に変位される(図１５参照)。このため、前記振分け部４２,４２が第２の状態にある内に、パチンコ球Ｓが前記第１傾斜通路３０,３０の後端部まで到達すると、該パチンコ球Ｓは振分け部４２,４２により第１傾斜通路３０,３０から第２傾斜通路３２,３２に向けて案内されると共に、該第２傾斜通路３２,３２から前記第３傾斜通路３４,３４を介して下部入賞空間２６ｂ内の前記誘導部３６に案内され、該誘導部３６の切欠部３６ａから前記可動傾斜板５０の奥側に到来する(図４(b)参照)。このとき、前記可動傾斜板５０は所定間隔で基準位置と停留位置との間を揺動すると共に、前記樋部材７０(特別入賞領域２２)も所定のパターンで左右の端部位置と原位置との間を揺動しているから、該可動傾斜板５０が基準位置に変位され、かつ樋部材７０が原位置に保持された際に、パチンコ球Ｓが特別入賞領域２２に通入し得るようになる(図１２参照)が、その他の場合は一般入賞領域２３,２３に通入する。このように、下部入賞空間２６ｂに到来した際にはパチンコ球Ｓが最終的に特別入賞領域２２または一般入賞領域２３,２３の何れに通入するか判断できず、最後まで遊技の興趣が維持される。
【００４１】
一方、前記振分け部４２,４２が第１の状態に変位した状態で、パチンコ球Ｓが前記第１傾斜通路３０,３０の後端部まで到達すると、該パチンコ球Ｓは第１傾斜通路３０,３０の後端部から前記傾斜面２７に向けて落下する(図４(a)参照)。ここで、前記第１傾斜通路３０,３０の後端部を前記流路変更部材６０,６０の上方に臨むよう構成してあるから、図５または図６に示すように、該後端部から落下したパチンコ球Ｓが流路変更部材６０,６０に当接して転動方向がランダムに変化され、傾斜面２７を種々の方向に向けて転動するようになる。そして、前記傾斜面２７の略中央位置には、前記可動傾斜板５０が所定間隔で前記基準位置と停留位置との間を揺動変位するから、該可動傾斜板５０が基準位置にある場合には傾斜面２７を転動するパチンコ球Ｓが可動傾斜板５０の上部を通過し得ると共に(図５参照)、当該可動傾斜板５０が停留位置にある場合には、パチンコ球Ｓが可動傾斜板５０の側面に接触して移動が規制される(図６参照)。
【００４２】
このように、前記傾斜面２７を転動するパチンコ球Ｓの転動方向も変化されるから、より一層パチンコ球Ｓの動きが複雑となって遊技の興趣は増大される。更に、前記特別入賞領域２２を画成した樋部材７０を左右方向に変位し得るよう構成することにより、前記傾斜面２７を転動するパチンコ球Ｓが該特別入賞領域２２に通入するか否かを予想することは困難となり、該傾斜面２７の前端部からパチンコ球Ｓが落下するまで特別入賞領域２２にパチンコ球Ｓが通入することへの期待感を持たせることができる。すなわち、前記上部入賞空間２６ａに通入したパチンコ球Ｓは、決まった１つの経路を通過することなく下部入賞空間２６ｂに流入すると共に、該下部入賞空間２６ｂ内を転動するパチンコ球Ｓも決まった経路を通過しないから、最終的にパチンコ球Ｓが特別入賞領域２２または一般入賞領域２３,２３の何れかに通入するまでその動きを楽しむことができ、遊技の興趣が増大される。
【００４３】
前記下部入賞空間２６ｂ内を転動するパチンコ球Ｓが、前記樋部材７０に画成した特別入賞領域２２に通入すると特別遊技状態に移行する。ここで、前記継続ラウンドにおいては、前記入賞口１５,１５から上部入賞空間２６ａに通入したパチンコ球Ｓは、前記第１傾斜通路３０,３０を奥側に向けて転動する。このとき、前記振分け部４２,４２は前記第２の状態に保持されているから(図１６参照)、パチンコ球Ｓは第１傾斜通路３０,３０から第２傾斜通路３２,３２に向けて案内されると共に、該第２傾斜通路３２,３２から前記第３傾斜通路３４,３４を介して前記誘導部３６に案内され、該誘導部３６の切欠部３６ａから前記可動傾斜板５０の奥側に到来する。このとき、前記可動傾斜板５０は、前記下部入賞空間２６ｂの傾斜面２７より上方に突出して略水平な前記停留位置に保持されているから、該可動傾斜板５０の奥側に到来した前記パチンコ球Ｓは、前側に転動することなく所定位置(可動傾斜板５０の奥側)に１個停留される。
【００４４】
また、前記継続ラウンドにおいては、前記可動傾斜板５０の孔部５０ａからストッパ部材５２の突出部５３ｂが突出しているから、前記可動傾斜板５０の奥側に案内されたパチンコ球Ｓは、該ストッパ部材５２の突出部５３ｂにより前方移動が規制される(図１３参照)。更に、前記切欠部３６ａの壁部により前記パチンコ球Ｓの後方および左右両側への移動を規制するよう構成してあるから、確実にパチンコ球Ｓを可動傾斜板５０の奥側(切欠部３６ａ)に１個停留させることができる。そして、前記ラウンド終了条件を満たして前記可動傾斜板５０が前記停留位置から基準位置に揺動された際には、前記ストッパ部材５２の突出部５３ｂも前記孔部５０ａより下方に退避するので、該可動傾斜板５０の奥側に停留していたパチンコ球Ｓが前側に転動する。このとき、前記樋部材７０は原位置に保持されているから、該パチンコ球Ｓは前記特別入賞領域２２に通入して所定の継続ラウンドは確実に消化され、遊技者の期待感を損ねることはない。なお、前記可動傾斜板５０の上面にパチンコ球Ｓを案内する凹部５０ｂを形成したので、該可動傾斜板５０を停留位置から基準位置に揺動した際にパチンコ球Ｓを該凹部５０ｂに沿って特別入賞領域２２に確実に通入させることができる。
【００４５】
前記可動傾斜板５０の奥側にパチンコ球Ｓを１個停留させた状態で、２個目以降のパチンコ球Ｓが前記誘導部３６に到来した場合には、該誘導部３６における前記切欠部３６ａを挟む左右両側から前記傾斜面２７に落下し(図１３参照)、該傾斜面２７に沿って前記一般入賞領域２３,２３に向けて転動する。ここで、前記樋部材７０(特別入賞領域２２)は、前記可動傾斜板５０の前部が臨む原位置に停止されているから、前記傾斜面２７を転動するパチンコ球Ｓが、特別入賞領域２２に向けて転動しても、該可動傾斜板５０の側部に当接して該特別入賞領域２２に通入することはない。また、前記可動傾斜板５０は前記傾斜面２７の前端縁まで延在させてあるから、該傾斜面２７を転動するパチンコ球Ｓの特別入賞領域２２への通入を確実に規制することができる。なお、前記傾斜面２７における前端縁の略中央位置を前側に向けて膨出するよう構成したから、該傾斜面２７を転動するパチンコ球Ｓが該膨出部の端縁部に到来した際に前記一般入賞領域２３,２３側にバランスが崩れてそのまま一般入賞領域２３,２３に落下するため、より確実にパチンコ球Ｓの不用意な特別入賞領域２２への通入を阻止し得るようになる。
【００４６】
すなわち、前記可動傾斜板５０により、パチンコ球Ｓを所定位置に停留させ得ると共に、特別入賞領域２２へのパチンコ球Ｓの通入を規制し得るから、入賞装置Ｍを構成する部品点数を削減してコストの低減を図り得る。また、入賞装置Ｍの構成部品数を少なくすることで、入賞装置の組付け作業が容易になり、作業時間の短縮を図ることができる。更に、前記可動傾斜板５０とストッパ部材５２とを、同一の第１モータ５４および第３駆動機構５５により駆動するよう構成したから、コストを低廉に抑え得る。そして、嵩張るモータを削減することにより、入賞空間２５を大きく確保でき、遊技演出の多様性を図り得るようになる。同様に、前記流路変更部材６０,６０と樋部材７０とを、同一の第２モータ６３および第４駆動機構６４により駆動するよう構成したから、コストを更に低廉に抑え得ると共に、嵩張るモータを削減して入賞空間２５をより大きく確保できる。
【００４７】
また、前記特別遊技状態における通常ラウンドにおいては、前記入賞口１５,１５から上部入賞空間２６ａに通入したパチンコ球Ｓは、前記第１傾斜通路３０,３０を奥側に向けて転動する。ここで、前記振分け部材４０が前記第２の状態にあるときにパチンコ球Ｓが第１傾斜通路３０,３０の後端部に到達すれば、パチンコ球Ｓは該第１傾斜通路３０,３０から第２傾斜通路３２,３２に向けて案内されると共に、該第２傾斜通路３２,３２から前記第３傾斜通路３４,３４を介して前記誘導部３６に案内され、該誘導部３６の切欠部３６ａから前記可動傾斜板５０の奥側に到来する。ここで、６個のパチンコ球Ｓが上部入賞空間２６ａに通入した以降であれば、前記可動傾斜板５０は、基準位置と停留位置との間を揺動すると共に、前記樋部材７０も左右の端部位置の間を揺動しているから(図１７参照)、前述したと同様に、該可動傾斜板５０が基準位置に変位され、かつ樋部材７０が原位置に保持された際に、パチンコ球Ｓが特別入賞領域２２に通入し得るようになる(図１２参照)。
【００４８】
そして、前記振分け部材４０が前記第１の状態にあるときには、前記第１傾斜通路３０,３０の後端部から傾斜面２７に向けてパチンコ球Ｓが落下し、流路変更部材６０,６０に当接して転動方向がランダムに変化される。このため、前述と同様に、前記傾斜面２７において、前記可動傾斜板５０が前記基準位置と停留位置との間を揺動変位するから、該可動傾斜板５０が基準位置にある場合には傾斜面２７を転動するパチンコ球Ｓが可動傾斜板５０の上部を通過し得ると共に(図５参照)、当該可動傾斜板５０が停留位置にある場合には、パチンコ球Ｓが可動傾斜板５０の側面に接触して移動が規制される(図６参照)。
【００４９】
すなわち、通常ラウンドにおいても前述した継続ラウンドの場合と同様に、最終的にパチンコ球Ｓが特別入賞領域２２または一般入賞領域２３の何れかに通入するまでその動きを楽しむことができ、遊技の興趣が増大される。
【００５０】
〔変更例〕
なお、本発明に係る遊技機の入賞装置としては、実施例のものに限られず種々の変更が可能である。例えば、開閉スライド形式の電動式入賞装置も可能である。すなわち、本体の基枠体に設けた左右の球受け用のスライド部材が、対向閉鎖状態と両外側への離隔開放状態とに移動変化されて入賞口を開閉する構成を採用し得る。また、可動部材に関しては、特別入賞領域の上流で遊技球を一旦保留し得るものであれば、その形状は特に限定されるものではない。また、前記特別入賞領域を左右方向に揺動するよう構成したが、該特別入賞領域を前記可動部材の前部に臨むよう固定的に形成することも可能である。更に、可動式の各種遊技部品の可動条件は、前述した設定例に限られるものでなく、適宜変更可能である。
【００５１】
そして、前記第１傾斜通路、第２傾斜通路および第３傾斜通路の形成位置としては、実施例のものに限られるものではなく、所要に応じて変更すればよい。また、前記流路変更部材の略中央位置を上方に突出する山型に形成するようにしたが、その他任意の形状に形成することができ、また該流路変更部材の前側と後側や、右側と左側の形状を異ならせるようにすることも可能である。
【符号の説明】
【００５２】
１５  入賞口(球入口)
１６  開閉部材
２２  特別入賞領域
２３  一般入賞領域
２５  入賞空間
２６ａ  上部入賞空間
２６ｂ  下部入賞空間
２７  傾斜面
２８  仕切板(仕切部)
３０  第１傾斜通路
３２  第２傾斜通路
３４  第３傾斜通路
４０  振分け部材
５０  可動傾斜板(可動部材)
５０ｂ  凹部
６０  流路変更部材
Ｓ  パチンコ球(遊技球)
【図１】
0004794641.tif 000002
【図２】
0004794641.tif 000003
【図３】
0004794641.tif 000004
【図４】
0004794641.tif 000005
【図５】
0004794641.tif 000006
【図６】
0004794641.tif 000007
【図７】
0004794641.tif 000008
【図８】
0004794641.tif 000009
【図９】
0004794641.tif 000010
【図１０】
0004794641.tif 000011
【図１１】
0004794641.tif 000012
【図１２】
0004794641.tif 000013
【図１３】
0004794641.tif 000014
【図１４】
0004794641.tif 000015
【図１５】
0004794641.tif 000016
【図１６】
0004794641.tif 000017
【図１７】
0004794641.tif 000018